(57)【要約】【課題】搭載性を向上することができるアンテナユニットを提供する。【解決手段】アンテナユニット１は、複数の接続部１１と、平面アンテナ部２０と、複数の配索回路体３１とを備える。複数の接続部１１は、相手側接続部がそれぞれ接続される。平面アンテナ部２０は、電波を送信又は受信する複数の平面アンテナ２１を有する。複数の配索回路体３１は、それぞれ平面状の配索基材３２及び配索基材３２に設けられ接続部１１と平面アンテナ２１とを接続する配索伝送路３３を有する。複数の配索回路体３１は、配索伝送路が３３それぞれ異なる平面アンテナ２１と接続部１１とを接続する。複数の配索回路体３１は、それぞれ積層方向に沿って積層される。【選択図】図２
2019186810.tif 000002
【特許請求の範囲】
【請求項１】
相手側接続部がそれぞれ接続される複数の接続部と、
電波を送信又は受信する複数のアンテナを有するアンテナ部と、
それぞれ平面状の配索絶縁基材及び前記配索絶縁基材に設けられ前記接続部と前記アンテナとを接続する伝送路を有する複数の配索回路体であって、前記伝送路がそれぞれ異なる前記アンテナと前記接続部とを接続する複数の配索回路体と、を備え、
前記複数の配索回路体は、それぞれ積層方向に沿って積層されることを特徴とするアンテナユニット。
【請求項２】
前記アンテナ部は、前記複数のアンテナと、複数の前記配索絶縁基材に接続され前記複数のアンテナが設けられる統合アンテナ絶縁基材とを有するアンテナ回路体を含んで構成される請求項１に記載のアンテナユニット。
【請求項３】
前記アンテナ部は、前記アンテナと、前記配索絶縁基材に接続され前記アンテナが設けられる平面状の個別アンテナ絶縁基材とをそれぞれ有する複数のアンテナ回路体を含んで構成され、前記複数のアンテナ回路体がそれぞれ前記積層方向に沿って積層される請求項１に記載のアンテナユニット。
【請求項４】
複数の前記配索絶縁基材は、連続する一枚の平面状の基材集合体を構成し、
前記複数の配索回路体は、前記基材集合体が折り畳まれることでそれぞれ前記積層方向に沿って積層される請求項１〜３のいずれか１項に記載のアンテナユニット。
【発明の詳細な説明】
【技術分野】
【０００１】
本発明は、アンテナユニットに関する。
【背景技術】
【０００２】
従来、アンテナユニットとして、例えば、特許文献１には、電波を受信する平面アンテナと、平面アンテナから出力された電波信号を伝送する信号線路とを備えた平面アンテナ体が開示されている。
【先行技術文献】
【特許文献】
【０００３】
【特許文献１】特開２０１７−６１２５６号公報
【発明の概要】
【発明が解決しようとする課題】
【０００４】
上述の特許文献１に記載の平面アンテナ体は、例えば、複数種類の電波を受信する場合、複数の平面アンテナを設けることが考えられる。この場合、平面アンテナ体は、複数の平面アンテナからそれぞれ出力される電波信号を伝送する複数の信号線路が必要になる。このとき、平面アンテナ体は、信号線路の増加に伴い、当該信号線路の延在方向に直交する幅方向の幅長が相対的に長くなり、搭載性が低下するおそれがある。
【０００５】
そこで、本発明は、上記に鑑みてなされたものであって、搭載性を向上することができるアンテナユニットを提供することを目的とする。
【課題を解決するための手段】
【０００６】
上述した課題を解決し、目的を達成するために、本発明に係るアンテナユニットは、相手側接続部がそれぞれ接続される複数の接続部と、電波を送信又は受信する複数のアンテナを有するアンテナ部と、それぞれ平面状の配索絶縁基材及び前記配索絶縁基材に設けられ前記接続部と前記アンテナとを接続する伝送路を有する複数の配索回路体であって、前記伝送路がそれぞれ異なる前記アンテナと前記接続部とを接続する複数の配索回路体と、を備え、前記複数の配索回路体は、それぞれ積層方向に沿って積層されることを特徴とする。
【０００７】
上記アンテナユニットにおいて、前記アンテナ部は、前記複数のアンテナと、複数の前記配索絶縁基材に接続され前記複数のアンテナが設けられる統合アンテナ絶縁基材とを有するアンテナ回路体を含んで構成されることが好ましい。
【０００８】
上記アンテナユニットにおいて、前記アンテナ部は、前記アンテナと、前記配索絶縁基材に接続され前記アンテナが設けられる平面状の個別アンテナ絶縁基材とをそれぞれ有する複数のアンテナ回路体を含んで構成され、前記複数のアンテナ回路体がそれぞれ前記積層方向に沿って積層されることが好ましい。
【０００９】
上記アンテナユニットにおいて、複数の前記配索絶縁基材は、連続する一枚の平面状の基材集合体を構成し、前記複数の配索回路体は、前記基材集合体が折り畳まれることでそれぞれ前記積層方向に沿って積層されることが好ましい。
【発明の効果】
【００１０】
本発明に係るアンテナユニットは、複数の配索回路体がそれぞれ積層方向に沿って積層されるので、各配索回路体が積層された平面配索部の幅方向の幅長が長くなることを抑制することができ、搭載性を向上することができる。
【図面の簡単な説明】
【００１１】
【図１】図１は、実施形態１に係るアンテナユニットの設置例を示す模式図である。
【図２】図２は、実施形態１に係るアンテナユニットの構成例を示す斜視図である。
【図３】図３は、実施形態１に係る平面配索部の平面アンテナ側の端部の構成例を示す斜視図である。
【図４】図４は、実施形態１に係る平面配索部の同軸コネクタ側の端部の構成例を示す斜視図である。
【図５】図５は、実施形態１に係るアンテナユニットの構成例を示す分解斜視図である。
【図６】図６は、実施形態２に係るアンテナユニットの構成例を示す斜視図である。
【図７】図７は、実施形態２に係るアンテナユニットの構成例を示す分解斜視図である。
【図８】図８は、実施形態３に係るアンテナユニットの構成例を示す斜視図である。
【図９】図９は、実施形態３に係る平面配索部の展開例を示す平面図である。
【図１０】図１０は、実施形態３に係る平面配索部の折り畳み例を示す平面図である。
【図１１】図１１は、実施形態３に係る平面配索部の折り畳み例を示す平面図である。
【発明を実施するための形態】
【００１２】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１３】
〔実施形態１〕
実施形態１に係るアンテナユニット１について説明する。アンテナユニット１は、図１に示すように、車両２の外部から電波を送信又は受信するものである。アンテナユニット１は、例えば、人工衛星を利用して車両２の位置を測定するＧＰＳ（Ｇｌｏｂａｌ  Ｐｏｓｉｔｉｏｎｉｎｇ  Ｓｙｓｔｅｍ）通信網からの測位信号を受信するＧＰＳアンテナや、有料道路を利用する際に電子料金収受システムと通信するＥＴＣアンテナ等を含んで構成される。アンテナユニット１は、例えば、可撓性（フレキシブル性）を有した平面印刷回路体である。アンテナユニット１は、車両２内に設けられ、例えば、車両２の外装である絶縁性樹脂製のルーフパネル２ａの内側に設置される。図１では、アンテナユニット１は、例えば、平面アンテナ部２０がルーフパネル２ａの車両２前方の中央に設置される場合と、平面アンテナ部２０がルーフパネル２ａの車両２後方の中央に設置される場合とを示している。アンテナユニット１は、ルーフパネル２ａが電波を通過させる絶縁性樹脂製であるので、当該ルーフパネル２ａの内側に設置されても電波の受信に影響がでない。なお、ルーフパネル２ａは、少なくともアンテナユニット１の平面アンテナ部２０が設置されている部分が絶縁性樹脂製であれば、その他の部分が金属製であってもよい。また、アンテナユニット１は、ルーフパネル２ａ以外に設置してもよい。例えば、アンテナユニット１は、電波を通過可能なダッシュボードやボンネット、フロントドア、リアドア等の外装の内側に設置してもよい。
【００１４】
ここで、本実施形態１〜３では、図２に示す配索伝送路３３が延在する方向を延在方向と称する。配索基材３２の実装面３２ｇ上で配索伝送路３３と直交する方向を幅方向と称する。各配索回路体３１を積層する方向を積層方向と称する。第１配索回路体３１ａ（図５参照）を積層方向の下側と称し、第４配索回路体３１ｄを積層方向の上側と称する。延在方向、幅方向、及び、積層方向は、互いに略直交する。
【００１５】
アンテナユニット１は、図２に示すように、同軸コネクタ１０と、アンテナ部としての平面アンテナ部２０と、平面配索部３０とを備える。同軸コネクタ１０は、相手側同軸コネクタ（図示省略）が接続される接続部である。同軸コネクタ１０は、平面配索部３０の一方側の端部に設けられる。同軸コネクタ１０は、複数の相手側接続部がそれぞれ接続される複数の接続部１１を有する。同軸コネクタ１０は、例えば、４つの接続部１１（１１ａ〜１１ｄ）を有する。各接続部１１は、幅方向に沿って並んで設けられ、平面配索部３０に電気的に接続される。
【００１６】
平面アンテナ部２０は、電波を送信又は受信する部分である。平面アンテナ部２０は、複数の平面アンテナ２１と、統合アンテナ絶縁基材としての絶縁性の統合アンテナ基材２２と、アンプやフィルター等の複数の電子部品２３と、複数のアンテナ伝送路２４と、第１グランド２４Ｇとを備える。
【００１７】
各平面アンテナ２１は、所望の周波数の電波を送信又は受信するアンテナである。各平面アンテナ２１は、例えば、電波を通過させる車両２のルーフパネル２ａの内側に設置される。各平面アンテナ２１は、例えば、統合アンテナ基材２２の実装面２２ａに銅等の金属により形成された導体パターンである。各平面アンテナ２１は、例えば、実装面２２ａの全面に形成された銅箔において当該銅箔を残したい部分にマスキングが行われ、不要な部分がエッチングにより除去されて各種の導体パターンが形成される。各平面アンテナ２１は、統合アンテナ基材２２の実装面２２ａにおいて、重畳せずにそれぞれ異なる箇所に形成される。各平面アンテナ２１は、例えば、正方形や長方形、線状に形成され、電波の波長や帯域幅に応じて各辺の長さが規定される。なお、各平面アンテナ２１の形状は、正方形や長方形、線状以外でもよく、受信する電波に応じて適宜設定される。つまり、各平面アンテナ２１の形状は、外装の内側に設置することができる程度の薄型化を実現可能な平面形状であれば、いかなる形状であってもよい。各平面アンテナ２１は、絶縁性樹脂等により覆われることで絶縁されると共に水分や塵埃等から保護されている。
【００１８】
統合アンテナ基材２２は、各平面アンテナ２１が設けられるベース材である。統合アンテナ基材２２は、薄板状の絶縁体（例えば絶縁体フィルム）であり、矩形状に形成されている。統合アンテナ基材２２は、平面アンテナ２１よりも可撓性が高く湾曲し易く形成されている。統合アンテナ基材２２は、後述する複数の配索基材３２に接続される。統合アンテナ基材２２は、その実装面２２ａに各平面アンテナ２１（２１ａ〜２１ｄ）が形成されている。統合アンテナ基材２２は、その実装面２２ａに各電子部品２３が設置されている。統合アンテナ基材２２は、各電子部品２３と各平面アンテナ２１とを電気的に接続する複数のアンテナ伝送路２４が形成されている。統合アンテナ基材２２は、実装面２２ａとは反対側に第１グランド２４Ｇが形成されている。平面アンテナ部２０は、各平面アンテナ２１、アンテナ伝送路２４、及び、第１グランド２４Ｇが統合アンテナ基材２２に形成されたアンテナ回路体２５を含んで構成される。
【００１９】
各電子部品２３は、各アンテナ伝送路２４を介して各平面アンテナ２１に接続され、電波を受信した各平面アンテナ２１から出力される電流のノイズを除去したり当該電流を増幅したりする。また、各電子部品２３は、平面配索部３０に接続され、ノイズを除去して増幅した電流を平面配索部３０に出力する。各電子部品２３は、絶縁性樹脂等により覆われることで絶縁されると共に水分や塵埃等から保護されている。各電子部品２３は、各平面アンテナ２１の近傍に設置されている。これにより、アンテナユニット１は、各平面アンテナ２１と各電子部品２３との間の伝送損失を低減することができると共にシールドによる電磁ノイズの低減対策を容易に行うことができる。
【００２０】
各アンテナ伝送路２４は、信号を伝送する平面同軸伝送路であり、各平面アンテナ２１と各電子部品２３とをそれぞれ接続する。各アンテナ伝送路２４は、高周波信号を伝送可能な伝送路であり、例えば、マイクロストリップラインである。各アンテナ伝送路２４は、アンテナ伝送導体２４Ｃと第１グランド２４Ｇとの組み合わせにより伝送路を形成する。各アンテナ伝送導体２４Ｃは、例えば、統合アンテナ基材２２の実装面２２ａに銅等の金属により形成された導体パターンである。各アンテナ伝送導体２４Ｃは、例えば、実装面２２ａの全面に形成された銅箔において当該銅箔を残したい部分にマスキングが行われ、不要な部分がエッチングにより除去されて導体パターンが形成される。各アンテナ伝送路２４は、絶縁性樹脂等により覆われることで絶縁されると共に水分や塵埃等から保護されている。
【００２１】
第１グランド２４Ｇは、銅等の金属により形成されたパターンであり、帰還電流を流すものである。第１グランド２４Ｇは、統合アンテナ基材２２の実装面２２ａとは反対側に設けられる。第１グランド２４Ｇは、各平面アンテナ２１及び各アンテナ伝送路２４の特性を向上させる任意のパターンで形成される。これにより、各平面アンテナ２１の利得を大きくすることができると共に、各アンテナ伝送路２４を流れる電流の損失（伝送損失）を低減することができる。第１グランド２４Ｇは、絶縁性樹脂等により覆われることで絶縁されると共に水分や塵埃等から保護されている。
【００２２】
平面配索部３０は、平面アンテナ部２０と同軸コネクタ１０とを電気的に接続するものである。平面配索部３０は、図５に示すように、複数の配索回路体３１（３１ａ〜３１ｄ）を含んで構成され、各配索回路体３１がそれぞれ積層方向に沿って重ねられ、接着剤等により貼り合わされて積層されている。各配索回路体３１は、それぞれが配索絶縁基材としての絶縁性の配索基材３２と、伝送路としての配索伝送路３３とを有する。
【００２３】
各配索基材３２は、各配索伝送路３３が設けられるベース材である。各配索基材３２は、各平面アンテナ２１よりも可撓性が高く湾曲し易く形成されている。本実施形態１では、平面配索部３０は、４枚の配索基材３２（３２ａ〜３２ｄ）が積層されて構成されている。第１配索基材３２ａは、統合アンテナ基材２２と一体形成されている。つまり、第１配索基材３２ａは、統合アンテナ基材２２と同じ１枚の平面状（薄板状）の絶縁体により形成されている。第１配索基材３２ａは、統合アンテナ基材２２の各電子部品２３側の端部から延在方向に沿って同軸コネクタ１０側に延在し同軸コネクタ１０に接続される。第２配索基材３２ｂ、第３配索基材３２ｃ、及び、第４配索基材３２ｄは、統合アンテナ基材２２と別体形成されている。つまり、第２〜第４配索基材３２ｂ〜３２ｄは、それぞれが統合アンテナ基材２２とは異なる別々の平面状（薄板状）の絶縁体（例えば絶縁体フィルム）により形成されている。第１〜第４配索基材３２ａ〜３２ｄは、それぞれ略同等の形状に形成されており、例えば、略矩形状に形成されている。
【００２４】
第２〜第４配索基材３２ｂ〜３２ｄは、統合アンテナ基材２２側の端部であるアンテナ側端部３２ｅ（図３、図５参照）が統合アンテナ基材２２に接続される。第２〜第４配索基材３２ｂ〜３２ｄは、積層方向から視た場合に、各配索伝送路３３のアンテナ側接点３４（３４ａ〜３４ｄ）が露出するように、それぞれのアンテナ側端部３２ｅが一部切り欠かれた切欠き部３２ｉを有している（図３、図５参照）。例えば、第３配索基材３２ｃは、第２配索基材３２ｂのアンテナ側端部３２ｅと重なる部分が切り欠かれた切欠き部３２ｉを有している（図５参照）。第４配索基材３２ｄは、第２及び第３配索基材３２ｂ、３２ｃのアンテナ側端部３２ｅと重なる部分が切り欠かれた切欠き部３２ｉを有している。
【００２５】
第２〜第４配索基材３２ｂ〜３２ｄは、各配索伝送路３３のコネクタ側接点３５が露出するように、各配索基材３２ｂ〜３２ｄのコネクタ側端部３２ｆが一部切り欠かれた切欠き部３２ｈを有している（図４、図５参照）。第２配索基材３２ｂは、第１配索基材３２ａのコネクタ側端部３２ｆと重なる部分が切り欠かれた切欠き部３２ｈを有している。第３配索基材３２ｃは、第１及び第２配索基材３２ａ、３２ｂのコネクタ側端部３２ｆと重なる部分が切り欠かれた切欠き部３２ｈを有している。第４配索基材３２ｄは、第１〜第３配索基材３２ａ〜３２ｃのコネクタ側端部３２ｆと重なる部分が切り欠かれた切欠き部３２ｈを有している（図４、図５参照）。
【００２６】
各配索伝送路３３は、信号を伝送する平面同軸伝送路である。各配索伝送路３３は、アンテナ伝送路２４及び電子部品２３を介して各接続部１１と各平面アンテナ２１とをそれぞれ１対１で接続する。各配索伝送路３３（３３ａ〜３３ｄ）は、高周波信号を伝送可能な伝送路であり、例えば、マイクロストリップラインである。各配索伝送路３３は、配索伝送導体３３Ｃと第２グランド３３Ｇとの組み合わせにより伝送路を形成する。各配索伝送導体３３Ｃは、例えば、それぞれが各配索基材３２の実装面３２ｇに銅等の金属により形成された導体パターンである。各配索伝送導体３３Ｃは、例えば、実装面３２ｇの全面に形成された銅箔において当該銅箔を残したい部分にマスキングが行われ、不要な部分がエッチングにより除去されて導体パターンが形成される。各配索伝送導体３３Ｃは、線状且つ平面状に形成されている。各配索伝送導体３３Ｃは、それぞれが異なる複数の配索基材３２の実装面３２ｇに１つずつ形成されている。本実施形態では、４つの配索伝送路３３（３３ａ〜３３ｄ）は、それぞれが異なる４枚の配索基材３２（３２ａ〜３２ｄ）の実装面３２ｇに１つずつ形成されている。例えば、第１配索伝送路３３ａは、第１配索基材３２ａの実装面３２ｇに形成され、第１平面アンテナ２１ａと第１接続部１１ａとを接続する。同様に、第２〜第４配索伝送路３３ｂ〜３３ｄは、それぞれ第２〜第４配索基材３２ｂ〜３２ｄの実装面３２ｇに形成され、第２〜第４平面アンテナ２１ｂ〜２１ｄと第２〜第４接続部１１ｂ〜１１ｄをそれぞれ接続する。各配索伝送路３３ａ〜３３ｄは、それぞれが互いに絶縁されている。各配索伝送路３３ａ〜３３ｄは、積層方向から視た場合、それぞれが重なっていてもよいし重なっていなくてもよい。
【００２７】
第２グランド３３Ｇは、各配索基材３２の実装面３２ｇとは反対側に形成された導体パターンである。第２グランド３３Ｇは、各配索伝送導体３３Ｃにそれぞれ対応して各配索基材３２ａ〜３２ｄにそれぞれ形成されている。第２グランド３３Ｇは、絶縁性樹脂等により覆われることで絶縁されると共に水分や塵埃等から保護されている。
【００２８】
各配索伝送路３３ａ〜３３ｄは、各配索回路体３１のアンテナ側端部３２ｅにアンテナ側接点３４（３４ａ〜３４ｄ）が形成されている（図３参照）。例えば、第１配索伝送路３３ａは、第１配索回路体３１ａのアンテナ側端部３２ｅに第１アンテナ側接点３４ａが形成されている。同様に、各配索伝送路３３ｂ〜３３ｄは、それぞれ配索回路体３１ｂ〜３１ｄのアンテナ側端部３２ｅに第２〜第４アンテナ側接点３４ｂ〜３４ｄがそれぞれ形成されている。第１〜第４アンテナ側接点３４ａ〜３４ｄは、積層方向から視た場合、幅方向に沿って並んで配置され、それぞれが露出している。第１〜第４アンテナ側接点３４ａ〜３４ｄは、それぞれ平面アンテナ部２０の各アンテナ伝送路２４に電気的に接続される。例えば、第２アンテナ側接点３４ｂは、スルーホールが形成され、平面アンテナ部２０の対応するアンテナ伝送路２４に導電性接着剤等により導通接続される（図３参照）。同様に、第３及び第４アンテナ側接点３４ｃ、３４ｄは、それぞれスルーホールが形成され、平面アンテナ部２０の対応するアンテナ伝送路２４に導電性接着剤等により導通接続される。なお、各アンテナ側接点３４は、ジャンパ部品や周辺回路の部品の一部を使って導通接続してもよい。
【００２９】
各配索伝送路３３は、各配索回路体３１のコネクタ側端部３２ｆにコネクタ側接点３５が形成されている（図４参照）。例えば、第１配索伝送路３３ａは、第１配索回路体３１ａのコネクタ側端部３２ｆにコネクタ側接点３５が形成されている。同様に、各配索伝送路３３ｂ〜３３ｄは、それぞれ第２〜第４配索回路体３１ｂ〜３１ｄのコネクタ側端部３２ｆにコネクタ側接点３５が形成されている。コネクタ側接点３５は、積層方向から視た場合、幅方向に沿って並んで配置され、それぞれが露出している。コネクタ側接点３５は、それぞれが各接続部１１と延在方向に沿って対向している。コネクタ側接点３５は、それぞれが各接続部１１に電気的に接続される。
【００３０】
各配索回路体３１は、上述のように、各配索伝送路３３がそれぞれ各配索基材３２に形成されている。そして、各配索回路体３１は、それぞれが積層方向に沿って積層されている。各配索回路体３１は、例えば、第１配索回路体３１ａの上に第２配索回路体３１ｂが積層され、第２配索回路体３１ｂの上に第３配索回路体３１ｃが積層され、第３配索回路体３１ｃの上に第４配索回路体３１ｄが積層されている。そして、各配索回路体３１は、それぞれが積層された状態で延在方向に沿って延在している。
【００３１】
以上のように、実施形態１に係るアンテナユニット１は、複数の接続部１１と、平面アンテナ部２０と、複数の配索回路体３１とを備える。複数の接続部１１は、相手側接続部がそれぞれ接続される。平面アンテナ部２０は、電波を送信又は受信する複数の平面アンテナ２１を有する。複数の配索回路体３１は、それぞれ平面状の配索基材３２及び当該配索基材３２に設けられ接続部１１と平面アンテナ２１とを接続する配索伝送路３３を有する。複数の配索回路体３１は、配索伝送路３３がそれぞれ異なる平面アンテナ２１と接続部１１とを接続する。複数の配索回路体３１は、それぞれ積層方向に沿って積層される。
【００３２】
この構成により、アンテナユニット１は、各配索回路体３１が積層されるので、各配索回路体３１が積層された平面配索部３０の幅方向の幅長が長くなることを抑制できる。これにより、アンテナユニット１は、例えば、車両２の相対的に狭い箇所でも平面配索部３０を搭載することができる。この結果、アンテナユニット１は、搭載性を向上することができる。
【００３３】
上記アンテナユニット１において、平面アンテナ部２０は、複数の平面アンテナ２１と、複数の配索基材３２に接続され複数の平面アンテナ２１が設けられる統合アンテナ基材２２とを有するアンテナ回路体２５を含んで構成される。この構成により、アンテナユニット１は、平面アンテナ部２０を多層化せずに単層により形成することができ、材料費用及び加工費用を抑制できる。また、アンテナユニット１は、例えば、各電子部品２３の取り付け部分におけるメッキ等の端末処理を統合アンテナ基材２２の単層に対して行うことで完了することができ、多層に対して端末処理を行う場合と比較して加工費用を抑制できる。
【００３４】
〔実施形態２〕
次に、実施形態２について説明する。実施形態２は、平面アンテナ部２０を多層化する点で実施形態１とは異なる。なお、実施形態２は、実施形態１と同等の構成要素には同じ符号を付し、その詳細な説明を省略する。実施形態２に係るアンテナユニット１Ａは、図６及び図７に示すように、複数のアンテナ配索回路４０を有する。複数のアンテナ配索回路４０は、それぞれ異なる平面アンテナ２１、並びに、当該平面アンテナ２１に対応する配索伝送路３３及びアンテナ伝送路２４を有する。複数のアンテナ配索回路４０は、それぞれ一枚の平面状の絶縁体（絶縁性のアンテナ配索基材５０）に形成される。つまり、各アンテナ配索基材５０は、それぞれ異なる平面アンテナ２１及びアンテナ伝送路２４が設けられる絶縁性の個別アンテナ基材５１と、配索伝送路３３が設けられる絶縁性の配索基材５２とを有する一枚の絶縁体（例えば絶縁体フィルム）から形成される。各アンテナ配索基材５０は、一枚の絶縁体から形成されているので、各個別アンテナ基材５１が、それぞれが対応する配索基材５２に接続されている。このように、アンテナユニット１Ａは、各アンテナ配索回路４０が、それぞれ一枚のアンテナ配索基材５０に形成された複数のアンテナ配索回路体６０を含んで構成される。つまり、各アンテナ配索回路体６０は、それぞれ異なる平面アンテナ２１及びアンテナ伝送路２４が個別アンテナ基材５１に設けられたアンテナ回路体６１と、それぞれ異なる配索伝送路３３が配索基材５２に設けられた配索回路体６２とを含んで構成される。本実施形態２では、アンテナユニット１Ａは、４つのアンテナ配索回路体６０（６０ａ〜６０ｄ）を含んで構成され、各アンテナ配索回路体６０が積層方向に沿って積層されている。各アンテナ配索回路体６０は、積層方向から視た場合、それぞの平面アンテナ２１（２１ａ〜２１ｄ）が重ならないように形成されている。つまり、各アンテナ配索回路体６０は、積層方向から視た場合、それぞれの平面アンテナ２１（２１ａ〜２１ｄ）が異なる位置に設けられている。これは、積層方向から視て各平面アンテナ２１が重なるとアンテナ特性が悪くなるためである。
【００３５】
第１アンテナ配索回路体６０ａは、例えば、第１アンテナ配索基材５０ａの実装面５３の全面に形成された銅箔において当該銅箔を残したい部分にマスキングが行われ、不要な部分がエッチングにより除去されて第１アンテナ配索回路４０ａが形成される。同様に、第２〜第４アンテナ配索回路体６０ｂ〜６０ｄは、不要な部分がエッチングにより除去されて第２〜第４アンテナ配索基材５０ｂ〜５０ｄにそれぞれ第２〜第４アンテナ配索回路４０ｂ〜４０ｄが形成される。
【００３６】
各アンテナ配索回路体６０（６０ａ〜６０ｄ）は、積層した場合に、電子部品２３がアンテナ配索基材５０に衝突することを回避するために開口部５４が設けられている。つまり、各アンテナ配索回路体６０は、電子部品２３の厚みがアンテナ配索回路４０の厚みよりも厚いため、電子部品２３とアンテナ配索基材５０との衝突を回避するために開口部５４が設けられている。例えば、第２アンテナ配索基材５０ｂは、積層方向から視て第１アンテナ配索回路体６０ａの電子部品２３が重なる箇所が開口された開口部５４ｂが設けられている。また、第３アンテナ配索基材５０ｃは、積層方向から視て第１及び第２アンテナ配索回路体６０ａ、６０ｂの電子部品２３が重なる箇所が開口された開口部５４ｃが設けられている。第４アンテナ配索基材５０ｄは、積層方向から視て第１〜第３アンテナ配索回路体６０ａ〜６０ｃの電子部品２３が重なる箇所が開口された開口部５４ｄが設けられている。
【００３７】
各アンテナ配索回路体６０は、各アンテナ配索基材５０の外形がそれぞれ同等の形状に形成されている。各アンテナ配索回路体６０は、それぞれが積層方向に沿って重ねられ、接着剤等により貼り合わされて積層されている。アンテナユニット１Ａは、各アンテナ配索回路体６０が積層された後、電子部品２３が搭載される。なお、アンテナユニット１Ａは、各アンテナ配索回路体６０が積層される前に電子部品２３を搭載してもよい。この場合、アンテナユニット１Ａは、各電子部品２３がそれぞれ各アンテナ配索回路体６０に搭載され、各電子部品２３が搭載された各アンテナ配索回路体６０をそれぞれ積層する。
【００３８】
以上のように、実施形態２に係るアンテナユニット１Ａにおいて、平面アンテナ部２０は、平面アンテナ２１と、配索基材５２に接続され平面アンテナ２１が設けられる平面状の個別アンテナ基材５１とをそれぞれ有する複数のアンテナ回路体６１を含んで構成される。平面アンテナ部２０は、複数のアンテナ回路体６１がそれぞれ積層方向に沿って積層される。このように、アンテナユニット１Ａは、各配索回路体６２に加えて各アンテナ回路体６１も積層させるようにしてもよい。アンテナユニット１Ａは、各配索回路体６２が積層されるので、平面配索部３０の幅方向の幅長が長くなることを抑制でき、搭載性を向上することができる。
【００３９】
〔実施形態３〕
次に、実施形態３について説明する。実施形態３は、図９に示すように、複数の配索基材８２（８２ａ〜８２ｄ）が一枚の平面状の絶縁体（例えば絶縁体フィルム）から形成され折り畳まれて積層される点で実施形態１、２とは異なる。なお、実施形態３は、実施形態１、２と同等の構成要素には同じ符号を付し、その詳細な説明を省略する。実施形態３に係るアンテナユニット１Ｂは、複数のアンテナ配索回路７０を有する。各アンテナ配索回路７０は、それぞれ異なる平面アンテナ２１、並びに、当該平面アンテナ２１に対応するアンテナ伝送路２４及び配索伝送路３３を有する。各アンテナ配索回路７０は、一枚の平面状の絶縁体（絶縁性の折り畳み基材８０）に形成される。つまり、折り畳み基材８０は、全ての平面アンテナ２１及びアンテナ伝送路２４が設けられる統合アンテナ基材８１と、各配索伝送路３３がそれぞれ設けられる各配索基材８２（８２ａ〜８２ｄ）とを有する一枚の絶縁体から形成される。各配索基材８２は、連続する一枚の平面状の基材集合体８３を構成する。なお、図９〜図１１では、折り畳み基材８０において、統合アンテナ基材８１の図示を省略し、各配索基材８２（８２ａ〜８２ｄ）を主に図示している。
【００４０】
各配索基材８２は、図９に示す展開状態において、延在方向に沿って延在し、それぞれが連結された状態で幅方向に沿って並んでいる。つまり、各配索基材８２は、一枚の平面状の基材集合体８３から形成され、延在方向に沿って延在する複数の折り曲げ線が幅方向に沿って略等間隔に並ぶことで区画されている。そして、各配索基材８２は、各折り曲げ線で折り曲げられ可能に形成されている。各配索基材８２（８２ａ〜８２ｄ）は、矩形状に形成され、略同等の外形に形成されている。第１配索基材８２ａは、その両端部が他の配索基材８２ｂ〜８２ｄよりも延在方向の両側にそれぞれ延在した基材延在部８２ｅを有する。一方側の基材延在部８２ｅは、第１〜第４コネクタ側接点３５（３５ａ〜３５ｄ）が形成され、他方側の基材延在部８２ｅは、第１〜第４アンテナ側接点３４（３４ａ〜３４ｄ）が形成されている。
【００４１】
各配索基材８２は、それぞれ実装面８２ｆに各配索伝送路３３（３３ａ〜３３ｄ）が形成されている。例えば、第１配索基材８２ａは、第１平面アンテナ２１ａと第１接続部１１ａとを接続する第１配索伝送路３３ａが形成されている。第１配索伝送路３３ａは、延在方向に沿って延在し、第１コネクタ側接点３５ａ及び第１アンテナ側接点３４ａに接続される伝送路延在部３３０ａを有する。伝送路延在部３３０ａは、絶縁性樹脂等により覆われることで絶縁されている。第１配索基材８２ａ及び第１配索伝送路３３ａは、第１配索回路体９０ａを構成する。
【００４２】
第２配索基材８２ｂは、展開状態で第１配索基材８２ａの隣に設けられ、第２平面アンテナ２１ｂと第２接続部１１ｂとを接続する第２配索伝送路３３ｂが形成されている。第２配索伝送路３３ｂは、延在方向に沿って延在する伝送路延在部３３０ｂと、伝送路延在部３３０ｂの同軸コネクタ１０側の端部に設けられ、第２コネクタ側接点３５ｂに接続される端子３３１ｂと、伝送路延在部３３０ｂの平面アンテナ部２０側の端部に設けられ、第２アンテナ側接点３４ｂに接続される端子３３２ｂとを有する。伝送路延在部３３０ｂは、絶縁性樹脂等により覆われることで絶縁されている。各端子３３１ｂ、３３２ｂは、導通部分が露出している。第２配索基材８２ｂ及び第２配索伝送路３３ｂは、第２配索回路体９０ｂを構成する。
【００４３】
第３配索基材８２ｃは、展開状態で第１配索基材８２ａの第２配索基材８２ｂとは反対側に設けられ、第３平面アンテナ２１ｃと第３接続部１１ｃとを接続する第３配索伝送路３３ｃが形成されている。第３配索伝送路３３ｃは、延在方向に沿って延在する伝送路延在部３３０ｃと、伝送路延在部３３０ｃの同軸コネクタ１０側の端部に設けられ、第３コネクタ側接点３５ｃに接続される端子３３１ｃと、伝送路延在部３３０ｃの平面アンテナ部２０側の端部に設けられ、第３アンテナ側接点３４ｃに接続される端子３３２ｃとを有する。伝送路延在部３３０ｃは、絶縁性樹脂等により覆われることで絶縁されている。各端子３３１ｃ、３３２ｃは、導通部分が露出している。第３配索基材８２ｃ及び第３配索伝送路３３ｃは、第３配索回路体９０ｃを構成する。
【００４４】
第４配索基材８２ｄは、展開状態で第３配索基材８２ｃの隣に設けられ、第４平面アンテナ２１ｄと第４接続部１１ｄとを接続する第４配索伝送路３３ｄが形成されている。第４配索伝送路３３ｄは、延在方向に沿って延在する伝送路延在部３３０ｄと、伝送路延在部３３０ｄの同軸コネクタ１０側の端部に設けられ、第４コネクタ側接点３５ｄに接続される端子３３１ｄと、伝送路延在部３３０ｄの平面アンテナ部２０側の端部に設けられ、第４アンテナ側接点３４ｄに接続される端子３３２ｄとを有する。伝送路延在部３３０ｄは、絶縁性樹脂等により覆われることで絶縁されている。各端子３３１ｄ、３３２ｄは、導通部分が露出している。第４配索基材８２ｄ及び第４配索伝送路３３ｄは、第４配索回路体９０ｄを構成する。
【００４５】
アンテナユニット１Ｂは、第２配索回路体９０ｂが第１配索回路体９０ａの実装面８２ｆ側に折り畳まれ貼り合わされる。このとき、第２配索伝送路３３ｂの一方側の端子３３１ｂは、図１０に示すように、第２配索回路体９０ｂが折り畳まれることにより、第２コネクタ側接点３５ｂに電気的に接続される。そして、第２配索伝送路３３ｂの一方側の端子３３１ｂは、第２コネクタ側接点３５ｂに導電性接着剤等により導通された状態で接着され固定される。また、第２配索伝送路３３ｂの他方側の端子３３２ｂは、第２アンテナ側接点３４ｂに電気的に接続される。そして、第２配索伝送路３３ｂの他方側の端子３３２ｂは、第２アンテナ側接点３４ｂに導電性接着剤等により導通された状態で接着され固定される。
【００４６】
アンテナユニット１Ｂは、第２配索回路体９０ｂが折り畳まれた後、第３配索回路体９０ｃが第２配索回路体９０ｂの上側に折り畳まれ貼り合わされる。このとき、第３配索伝送路３３ｃの一方側の端子３３１ｃは、第３配索回路体９０ｃが折り畳まれることにより、第３コネクタ側接点３５ｃにスルーホール等を介して電気的に接続される。そして、第３配索伝送路３３ｃの一方側の端子３３１ｃは、第３コネクタ側接点３５ｃに導電性接着剤等により導通された状態で接着され固定される。また、第３配索伝送路３３ｃの他方側の端子３３２ｃは、第３アンテナ側接点３４ｃにスルーホール等を介して電気的に接続される。そして、第３配索伝送路３３ｃの他方側の端子３３２ｃは、第３アンテナ側接点３４ｃに導電性接着剤等により導通された状態で接着され固定される。
【００４７】
アンテナユニット１Ｂは、図１１に示すように、第３配索回路体９０ｃが折り畳まれた後、第４配索回路体９０ｄが第３配索回路体９０ｃの上側に折り畳まれ貼り合わされる。このとき、第４配索伝送路３３ｄの一方側の端子３３１ｄは、第４配索回路体９０ｄが折り畳まれることにより、第４コネクタ側接点３５ｄにスルーホール等を介して電気的に接続される。そして、第４配索伝送路３３ｄの一方側の端子３３１ｄは、第４コネクタ側接点３５ｄに導電性接着剤等により導通された状態で接着され固定される。また、第４配索伝送路３３ｄの他方側の端子３３２ｄは、第４アンテナ側接点３４ｄにスルーホール等を介して電気的に接続される。そして、第４配索伝送路３３ｄの他方側の端子３３２ｄは、第４アンテナ側接点３４ｄに導電性接着剤等により導通された状態で接着され固定される。
【００４８】
以上のように、実施形態３に係るアンテナユニット１Ｂにおいて、複数の配索基材８２は、連続する一枚の平面状の基材集合体８３を構成する。複数の配索回路体９０（９０ａ〜９０ｄ）は、基材集合体８３が折り畳まれることでそれぞれ積層方向に沿って積層される。この構成により、アンテナユニット１Ｂは、各配索回路体９０をそれぞれ位置合わせする手間を省略することができる。つまり、アンテナユニット１Ｂは、基材集合体８３を折り畳むことにより各配索回路体９０の幅方向及び延在方向の位置合わせを行うことができる。従って、アンテナユニット１Ｂは、位置合わせを容易に行うことができ、加工を簡素化することができる。また、アンテナユニット１Ｂは、複数の配索基材８２が一枚の基材集合体８３から形成されるので、部品点数の増加を抑制できる。
【００４９】
〔変形例〕
次に、実施形態１〜３の変形例について説明する。各アンテナ伝送路２４及び各配索伝送路３３は、マイクロストリップラインである例について説明したが、これに限定されない。各アンテナ伝送路２４及び各配索伝送路３３は、平面アンテナ部２０における信号を伝送可能な伝送路であれば、その他の伝送路でもよい。各アンテナ伝送路２４及び各配索伝送路３３は、例えば、グランドを用いない線状の伝送導体等により構成してもよい。また、第２グランド３３Ｇは、各配索伝送路３３ａ〜３３ｄにそれぞれ対応して各配索基材３２ａ〜３２ｄにそれぞれ形成される例について説明したが、これに限定されない。例えば、第２グランド３３Ｇは、各配索伝送路３３ａ〜３３ｄに対応するグランドとして第１配索基材３２ａのみに形成してもよい。
【００５０】
各配索伝送路３３は、延在方向に沿って延在する直線の導電線である例について説明したが、これに限定されない。各配索伝送路３３は、例えば、Ｌ字状等のように曲がっていてもよい。また、各配索基材８２についても、各配索伝送路３３の形状に沿って曲がっていてもよい。
【００５１】
各アンテナは、平面状の平面アンテナ２１である例について説明したが、平面状のアンテナに限定されず、例えば、立体状のアンテナでもよい。
【００５２】
配索回路体３１は、アンテナ側接点３４とアンテナ伝送路２４とを導電性接着剤により接続する例について説明したが、これに限定されず、半田、ネジ等により導通接続してもよい。また、アンテナユニット１Ｂは、第１配索回路体９０ａと第２〜第４配索回路体９０ｂ〜９０ｄとを導電性接着剤により接続する例について説明したが、これに限定されず、半田、ネジ等により導通接続してもよい。
【００５３】
各平面アンテナ２１、各アンテナ伝送導体２４Ｃ、各配索伝送導体３３Ｃ、及び、第１アンテナ配索回路体６０ａは、エッチングにより形成される各種の導体パターンで構成される例について説明したが、これに限定されず、その他の方法により形成してもよい。例えば、各平面アンテナ２１、各アンテナ伝送導体２４Ｃ、各配索伝送導体３３Ｃ、及び、第１アンテナ配索回路体６０ａは、金属ペーストを基材に印刷することにより形成される印刷回路体で構成されてもよい。
【符号の説明】
【００５４】
１、１Ａ、１Ｂ  アンテナユニット
１１  接続部
２０  平面アンテナ部（アンテナ部）
２１  平面アンテナ（アンテナ）
２２、８１  統合アンテナ基材（統合アンテナ絶縁基材）
２５、６１  アンテナ回路体
３１、９０  配索回路体
３２、５２、８２  配索基材（配索絶縁基材）
３３  配索伝送路（伝送路）
５１  個別アンテナ基材（個別アンテナ絶縁基材）
【図１】
2019186810.tif 000003
【図２】
2019186810.tif 000004
【図３】
2019186810.tif 000005
【図４】
2019186810.tif 000006
【図５】
2019186810.tif 000007
【図６】
2019186810.tif 000008
【図７】
2019186810.tif 000009
【図８】
2019186810.tif 000010
【図９】
2019186810.tif 000011
【図１０】
2019186810.tif 000012
【図１１】
2019186810.tif 000013